(57)【要約】【課題】配線の接続作業性を向上させるとともに、良好な意匠性を得ることができる照明器具を提供する。【解決手段】照明器具１０Ａは、複数のワイヤ１２が接続可能な複数の接続部２１を有する器具本体２０を有する。器具本体２０の上側を覆う保護カバー３０には、各ワイヤ１２が挿通可能な複数の挿通孔３１が設けられている。各挿通孔３１は、各接続部２１を結ぶ線Ｌ１に沿う第１長孔３１１と、第１長孔３１１に連続するとともに交差する第２長孔３１２とを有する。第１長孔３１１および第２長孔３１２は、各接続部２１を結ぶ線Ｌ１に対して直交する面に対して面対称形状に設けられている。これにより、保護カバー３０は、ワイヤ１２との間の摩擦力により、ワイヤ１２の下端よりも上の任意の位置に保持されるので、保護カバー３０を開けて作業する際にその都度保護カバー３０を外す必要がなく、配線作業等の作業性が向上する。また、保護カバー３０を分割して外しやすくすることもないので、一体的なデザインを確保でき、良好な意匠性を得ることができる。【選択図】図３
2015090765.tif 000002
【特許請求の範囲】
【請求項１】
下向き面から垂下される複数のワイヤが接続可能な複数の接続部を有する器具本体と、
前記器具本体に支持される光源と、
前記器具本体における前記下向き面側を覆う保護カバーと、
前記保護カバーに設けられ、前記各ワイヤが個別に挿通可能な複数の挿通孔と、を備え、
前記各挿通孔は、前記各接続部を結ぶ線に沿う第１長孔と、前記第１長孔に連続するとともに前記第１長孔に対して交差する第２長孔とを有し、前記各接続部を結ぶ線に対して直交する面を境界とする面対称形状に設けられている照明器具。
【請求項２】
請求項１に記載の照明器具において、
前記器具本体は長尺形状を有し、
前記各接続部は前記器具本体の長手方向に沿って離間配置され、
前記各挿通孔は前記器具本体の長手方向に沿って対称に配置されている照明器具。
【請求項３】
請求項２に記載の照明器具において、
前記各接続部は前記器具本体の短手方向に沿って離間配置され、
前記各挿通孔は前記器具本体の短手方向に沿って対称に配置されている照明器具。
【発明の詳細な説明】
【技術分野】
【０００１】
本発明は、天井面から吊下げて使用する吊下げ型の照明器具に関するものである。
【背景技術】
【０００２】
従来、天井面から吊下げて使用する吊下げ型の照明器具が知られている（例えば、特許文献１参照）。
図１１に示すように、特許文献１に記載の照明器具１００は、例えば天井面から支持部１０１により吊下げて使用される。
支持部１０１には、器具本体１０２が取り付けられている。器具本体１０２は、上本体１０３と、枠体１０４と、導光板１０５、１０６と、中板１０７とを有する。
【０００３】
上本体１０３は本体部１０８を有し、本体部１０８の中央位置には上方に突出する突出部１０９が一体に設けられている。突出部１０９の上面には、上方に突出する複数の放熱フィンからなる放熱部１１０が一体に設けられ、突出部１０９の下側には基板１１１が取り付けられている。基板１１１には、複数のＬＥＤ１１２が実装されている。ＬＥＤ１１２の前方には、ＬＥＤ１１２から照射された光を透過させる透光パネル１１３と、ＬＥＤ１１２から照射された光を色変換する蛍光膜（蛍光体）１１４が設けられている。
【先行技術文献】
【特許文献】
【０００４】
【特許文献１】特開２００８−２１８２３８号公報（第１図）
【発明の概要】
【発明が解決しようとする課題】
【０００５】
ところで、天井から吊下げて使用する照明器具には、前述した照明器具１００の支持部１０１として、複数のワイヤを介して吊り下げられる照明器具が知られている。
このような照明器具では、天井から引き出された配線を器具本体に接続する際に、器具本体の上部（天井側）を覆う保護カバーを外し、露呈した器具本体の所定位置に配線を接続するのが一般的である。
【０００６】
その間、保護カバーは仮置きしておき、配線作業終了後に再び器具本体に取り付ける必要があり、作業手順が面倒であるという問題があった。
また、このような作業手順の煩わしさを解消するために、あらかじめ配線を接続する箇所のみ器具本体の所定位置が露呈するように保護カバーを分割しておく構造が考えられるが、一体的なデザインが損なわれ、良好な意匠性が得られないという問題があった。
【０００７】
本発明は、従来の問題を解決するためになされたもので、配線の接続作業性を向上させるとともに、良好な意匠性を得ることができる照明器具を提供することを目的とする。
【課題を解決するための手段】
【０００８】
本発明の照明器具は、下向き面から垂下される複数のワイヤが接続可能な複数の接続部を有する器具本体と、前記器具本体に支持される光源と、前記器具本体における前記下向き面側を覆う保護カバーと、前記保護カバーに設けられ、前記各ワイヤが個別に挿通可能な複数の挿通孔と、を備え、前記各挿通孔は、前記各接続部を結ぶ線に沿う第１長孔と、前記第１長孔に連続するとともに前記第１長孔に対して交差する第２長孔とを有し、前記各接続部を結ぶ線に対して直交する面を境界とする面対称形状に設けられているものである。
【０００９】
また、本発明の照明器具は、前記器具本体は長尺形状を有し、前記各接続部は前記器具本体の長手方向に沿って離間配置され、前記各挿通孔は前記器具本体の長手方向に沿って対称に配置されているものである。
【００１０】
さらに、本発明の照明器具は、前記各接続部は前記器具本体の短手方向に沿って離間配置され、前記各挿通孔は前記器具本体の短手方向に沿って対称に配置されているものである。
【発明の効果】
【００１１】
本発明は、保護カバーは、ワイヤとの間の摩擦力により、ワイヤの下端よりも上の任意の位置に保持されるので、保護カバーを開けて作業する際にその都度保護カバーを外す必要がなく、配線作業等の作業性が向上する。また、保護カバーを分割して外しやすくすることもないので、一体的なデザインを確保でき、良好な意匠性を得ることができるという効果を有する照明器具を提供できる。
【図面の簡単な説明】
【００１２】
【図１】本発明に係る第１実施形態の照明器具を天井面からワイヤで吊下げた状態を下方から見た斜視図
【図２】（Ａ）は本発明に係る第１実施形態の照明器具を上方から見た斜視図であり、（Ｂ）は（Ａ）中“Ｂ”部分の拡大図であり、（Ｃ）は、（Ａ）中“Ｃ”部分の拡大図
【図３】本発明に係る第１実施形態の照明器具において保護カバーを外して上方へずらした状態を上方から見た斜視図
【図４】本発明に係る第１実施形態の照明器具におけるワイヤ接続部の拡大斜視図
【図５】本発明に係る第１実施形態の照明器具における挿通孔の配置および形状を示す保護カバーの平面図
【図６】本発明に係る第１実施形態の照明器具において保護カバーを上昇させてワイヤで支持した状態の斜視図
【図７】本発明に係る第２実施形態の照明器具における挿通孔の配置および形状を示す保護カバーの図５相当の平面図
【図８】本発明に係る第２実施形態の照明器具において保護カバーを上昇させてワイヤで支持した状態の図６相当の斜視図
【図９】（Ａ）は本発明に係る第３実施形態の照明器具における挿通孔の配置および形状の一例を示す保護カバーの図５相当の平面図であり、（Ｂ）は他の例を示す平面図
【図１０】本発明に係る第３実施形態の照明器具において保護カバーを上昇させてワイヤで支持した状態の図６相当の斜視図
【図１１】従来の照明器具の断面図
【発明を実施するための形態】
【００１３】
（第１実施形態）
以下、本発明に係る第１実施形態の照明器具について、図面を用いて説明する。
図１に示すように、第１実施形態の照明器具１０Ａは、天井面（下向き面）１１から垂下される複数本（ここでは４本）のワイヤ１２で吊下げて使用することができる。
なお、以下の説明においては、吊下げた状態で天井面１１側を「上」とし、天井面１１と反対側を「下」とする。
【００１４】
図２（Ａ）および図３に示すように、照明器具１０Ａは、長手方向両端にワイヤ１２が接続可能な複数の接続部２１を備えた下カバー（器具本体）２０を有する。下カバー２０は、底面が下方へ緩く湾曲した全体矩形状を呈しており、天井面１１側である上面には上カバー（保護カバー）３０が着脱可能に取り付けられる。
図４に示すように、接続部２１は、下カバー２０の内部に取り付けられた支持台２２に設けられている．ここでは、接続部２１は、支持台２２において下カバー２０の幅方向に渡されたワイヤ取付棒２３の両端部に位置しており、ワイヤ１２は、ワイヤ取付棒２３の両端部にそれぞれ固定されている。
【００１５】
下カバー２０の両側面には、下カバー２０の幅方向外向きに光を発する光源（図示省略）を有する発光部２４が長手方向に沿って設けられている。
また、下カバー２０の両側面には、発光部２４からの光を主に下方に照射するための導光板４０が設けられている。導光板４０の下カバー２０側端部は、長手方向中央部を中央導光板押え金具４１で、両端部を端部導光板押え金具４２で固定されている。
導光板４０の下カバー２０側端面は、発光部２４の光源に対向して設けられており、光源からの光を導光板４０に入射させる入射端面となっている。
【００１６】
図３に示すように、上カバー３０は、上に凸の湾曲した板状部材であり、下カバー２０の上面全体を着脱可能に覆う。
上カバー３０の両端部における下カバー２０の接続部２１に対応した位置には、各ワイヤ１２が挿通可能な挿通孔３１が、ワイヤ１２の本数に対応して４個設けられている。
すなわち、図３において、上カバー３０の長手方向左側に挿通孔３１Ａ、３１Ｂが設けられ、長手方向右側に挿通孔３１Ｃ、３１Ｄが設けられている。なお、挿通孔を総称するときには、「挿通孔３１」で表示する。
【００１７】
図５に示すように、挿通孔３１（３１Ａ）は、各接続部２１を結ぶ線Ｌ１に沿う第１長孔３１１と、第１長孔３１１に連続するとともに第１長孔３１１に対して交差する第２長孔３１２とを有する。第２長孔３１２は、第１長孔３１１から他方の挿通孔３１（３１Ｂ）に接近する方向へ延びている。
なお、以下の説明において、「各接続部２１を結ぶ線Ｌ１」とは、下カバー２０の長手方向両端に設けられている接続部２１を結ぶ線Ｌ１を示すこととし、下カバー２０の幅方向に離間して設けられている接続部２１を結ぶ線はＬ２で示す。
また、第２長孔３１２の先端には、大径部３１３が設けられている。照明器具１０Ａを天井面１１から吊下げた通常の状態では、ワイヤ１２は第２長孔３１２の大径部３１３に位置する。
【００１８】
上カバー３０の幅方向反対側に設けられている挿通孔３１Ｂは、各接続部２１を結ぶ線Ｌ１に対して挿通孔３１Ａと対称形状に設けられている。
このときの両ワイヤ１２の間隔はＤ０である。また、第１長孔３１１の間隔はＤ１であり、Ｄ０＞Ｄ１である。
また、上カバー３０の長手方向他端側の挿通孔３１Ｃ、３１Ｄは、直交する面（線）Ｌ２を境界として、挿通孔３１Ａ、３１Ｂと対称に設けられている。
【００１９】
次に、配線作業等の際に上カバー３０を下カバー２０から外して上方へ移動させて係止する動作について説明する。
上カバー３０を下カバー２０から外して上方へ移動させる際には、図５に示したように、ワイヤ１２は挿通孔３１の大径部３１３に位置しているので、上カバー３０を下カバー２０から外した後に、容易に上方へ移動できる。
【００２０】
所定の高さまで上カバー３０を移動させると、図６に示すように、ワイヤ１２を大径部３１３から第２長孔３１２を通って第１長孔３１１へ移動させる。
両第１長孔３１１間の間隔Ｄ１は、両ワイヤ１２間の間隔Ｄ０よりも小さいので、両ワイヤ１２は張力Ｔにより、互いに離反する方向（図６中矢印Ａ）へ広がろうとする。
これにより、ワイヤ１２は、第１長孔３１１の外側面３１４（図５参照）に押し付けられ、ワイヤ１２と第１長孔３１１の外側面３１４との間の摩擦力により、上カバー３０は落下せずに係止される。
【００２１】
次に、照明器具１０Ａの作用効果について説明する。
照明器具１０Ａは、天井面１１から垂下される複数（４本）のワイヤ１２が接続可能な複数の接続部２１を備えた下カバー２０を有する。下カバー２０は、発光部２４および下カバー２０の上側を覆う上カバー３０を有する。上カバー３０には、各ワイヤ１２が個別に挿通可能な複数の挿通孔３１が設けられている。
そして、各挿通孔３１は、各接続部２１を結ぶ線Ｌ１に沿う第１長孔３１１と、第１長孔３１１に連続するとともに第１長孔３１１に対して交差する第２長孔３１２とを有する。照明器具１０Ａを天井面１１から吊下げている通常の状態では、ワイヤ１２は第２長孔３１２に位置する。
さらに、挿通孔３１は、各接続部２１を結ぶ線Ｌ１に対して直交する面（線）Ｌ２を境界とする面対称形状に設けられている。
【００２２】
このため、図５に示すように、第１長孔３１１が第２長孔３１２よりも上カバー３０の幅方向内側にある場合は、各ワイヤ１２を第２長孔３１２から幅方向内側へ移動させて第１長孔３１１へ移動させると、ワイヤ１２はその張力により間隔を広めようとする。このため、ワイヤ１２は、第１長孔３１１の外側面３１４を押圧する。
これにより、上カバー３０は、ワイヤ１２と挿通孔３１の間の摩擦力により、ワイヤ１２の下端よりも上の任意の位置に保持されるので、上カバー３０を開けて作業する際にその都度上カバー３０を外す必要がなく、配線作業等の作業性が向上する。
また、上カバー３０を分割して外しやすくする必要がないので、一体的なデザインを確保でき、良好な意匠性を得ることができる。
【００２３】
また、照明器具１０Ａは、各接続部２１は下カバー２０の短手方向に沿って離間配置されるとともに、各挿通孔３１は下カバー２０の短手方向に沿って対称に配置されている。
すなわち、各挿通孔３１は、下カバー２０の短手方向に沿う第２長孔３１２と、第２長孔３１２に連続するとともに第２長孔３１２に対して交差する第１長孔３１１とを有し、各接続部２１を結ぶ線Ｌ１に対して対称形状に設けられている。
これにより、上カバー３０は、ワイヤ１２との間の摩擦力により、ワイヤ１２の下端よりも上の任意の位置に保持されるので、上カバー３０を開けて作業する際にその都度上カバー３０を外す必要がなく、配線作業等の作業性が向上する。
また、上カバー３０を分割して外しやすくする必要もないので、一体的なデザインを確保でき、良好な意匠性を得ることができる。
【００２４】
（第２実施形態）
次に、第２実施形態の照明器具１０Ｂについて説明する。
なお、前述した第１実施形態の照明器具１０Ａと共通する部位には同じ符号を付して、重複する説明を省略することとする。
図７に示すように、第２実施形態の照明器具１０Ｂは、４本のワイヤ１２で支持されており、４個の挿通孔３１が設けられている。照明器具１０Ｂは、各接続部２１を結ぶ線Ｌ１に沿う第１長孔３１１に対して交差する第２長孔３１２を、第１長孔３１１に対して他方の挿通孔３１側へ設ける。すなわち、第２長孔３１２は、第１長孔３１１に対して上カバー３０の幅方向内側に位置する。
【００２５】
照明器具１０Ａを天井面１１から吊下げた通常の状態では、ワイヤ１２は第２長孔３１２の大径部３１３に位置する。
上カバー３０の幅方向反対側に設けられている挿通孔３１Ｂは、各接続部２１を結ぶ線Ｌ１に対して対称形状に設けられている。
このときの両ワイヤ１２の間隔はＤ０である。また、第１長孔３１１の間隔はＤ１であり、Ｄ０＜Ｄ１である。
また、上カバー３０の長手方向他端側の挿通孔３１Ｃ、３１Ｄは、線Ｌ１に直交する線Ｌ２と平行な面を境界として、挿通孔３１Ａ、３１Ｂと対称に設けられている。
【００２６】
配線作業等の際に上カバー３０を下カバー２０から外して上方へ移動させて係止する動作について説明する。
上カバー３０を下カバー２０から外して上方へ移動させる際には、図７に示したように、ワイヤ１２は挿通孔３１の大径部３１３に位置しているので、上カバー３０は容易に上方へ移動できる。
【００２７】
所定の高さまで上カバー３０を移動させると、図８に示すように、ワイヤ１２を大径部３１３から第２長孔３１２を通って第１長孔３１１へ移動させる。
両第１長孔３１１間の距離Ｄ１は、両ワイヤ１２間の距離Ｄ０よりも大きいので、両ワイヤ１２は張力Ｔにより、互いに接近する方向（図８中矢印Ｂ）へ移動しようとする。
これにより、ワイヤ１２は、第１長孔３１１の内側面３１５（図７参照）に押し付けられ、ワイヤ１２と第１長孔３１１の内側面との間の摩擦力により、上カバー３０は落下せずに係止される。
【００２８】
このように構成しても、前述した第１実施形態の照明器具１０Ａと同様の作用、効果を得ることができる。
【００２９】
（第３実施形態）
次に、第３実施形態の照明器具１０Ｃについて説明する。
なお、前述した第１実施形態の照明器具１０Ａおよび第２実施形態の照明器具１０Ｂと共通する部位には同じ符号を付して、重複する説明を省略することとする。
図９（Ａ）に示すように、第３実施形態の照明器具１０Ｃでは、２本のワイヤ１２で下カバー２０の長手方向両端が支持されており、上カバー３０には２個の挿通孔３１が設けられている。
【００３０】
図９（Ａ）に示すように、挿通孔３１は、各接続部２１を結ぶ線Ｌ１に沿う第１長孔３１１と、第１長孔３１１に対して交差する第２長孔３１２を有する。なお、ここでは、第２長孔３１２を図９（Ａ）中下側へ延ばした場合を示しているが、上側に延ばしても全く同様である。
第１長孔３１１の先端には大径部３１３が設けられている。長手方向両端の挿通孔３１は、上カバー３０の長手方向に沿って対称に配置されており、第２長孔３１２は、第１長孔３１１から図９（Ａ）において下側に延びている。
なお、照明器具１０Ｃを吊下げた状態では、ワイヤ１２は大径部３１３に位置するので、第１長孔３１１は、ワイヤ１２位置に対して、長手方向中心側に延びている。
【００３１】
配線作業等の際に、上カバー３０を下カバー２０から外して上方へ移動させて係止する動作について説明する。
上カバー３０を下カバー２０から外して上方へ移動させる際には、ワイヤ１２は挿通孔３１の大径部３１３に位置しているので、上カバー３０は容易に上方へ移動できる。
所定の高さまで上カバー３０を移動させると、図１０に示すように、ワイヤ１２を大径部３１３から第１長孔３１１を通って長手方向中心側へ移動させ、第２長孔３１２へ移動させる。
【００３２】
両ワイヤ１２は互いに接近されているので、張力Ｔにより、互いに離反する方向（図１０中矢印Ｃ）へ移動しようとする。
これにより、ワイヤ１２は、第２長孔３１２の長手方向外側面３１６（図９（Ａ）参照）に押し付けられ、ワイヤ１２と第１長孔３１１の内側面との間の摩擦力により、上カバー３０は落下せずに係止される。
【００３３】
なお、図９（Ｂ）に示すように、第１長孔３１１を大径部３１３よりも長手方向外側へ延ばし、第１長孔３１１の先端に第２長孔３１２を設けることもできる。なお、ここでは、第２長孔３１２を第１長孔３１１から図９（Ｂ）における上側に設けた場合を示しているが、下側に設けても全く同様である。
この場合には、両ワイヤ１２は張力Ｔにより、互いに接近する方向へ移動しようとする。
これにより、ワイヤ１２は、第２長孔３１２の長手方向内側面３１７（図９（Ｂ）参照）に押し付けられ、ワイヤ１２と第１長孔３１１の内側面との間の摩擦力により、上カバー３０は落下せずに係止される。
【００３４】
照明器具１０Ｃの作用効果について説明する。
各接続部２１は長尺形状の下カバー２０の長手方向に沿って離間配置されるとともに、各挿通孔３１は下カバー２０の長手方向に沿って対称に配置されている。
すなわち、各挿通孔３１は、下カバー２０の長手方向に沿う第１長孔３１１と、第１長孔３１１に連続するとともに第１長孔３１１に対して交差する第２長孔３１２とを有し、長手方向に沿って対称に設けられている。
【００３５】
これにより、上カバー３０は、ワイヤ１２との間の摩擦力により、ワイヤ１２の下端よりも上の任意の位置に保持されるので、上カバー３０を開けて作業する際にその都度上カバー３０を外す必要がなく、配線作業等の作業性が向上する。
また、上カバー３０を分割して外しやすくすることもないので、一体的なデザインを確保でき、良好な意匠性を得ることができる。
【００３６】
本発明の照明器具は、前述した各実施形態に限定されるものでなく、適宜な変形、改良等が可能である。
例えば、前述した各実施形態においては、挿通孔３１に大径部３１３が設けられている場合を説明したが、大径部３１３を設けないことも可能である。
【符号の説明】
【００３７】
１０Ａ、１０Ｂ、１０Ｃ  照明器具
１１  天井面（下向き面）
１２  ワイヤ
２０  下カバー（器具本体）
２１  接続部
２４  発光部（光源）
３０  上カバー（保護カバー）
３１、３１Ａ、３１Ｂ、３１Ｃ、３１Ｄ  挿通孔
３１１  第１長孔
３１２  第２長孔
Ｌ１  各接続部を結ぶ線
【図１】
2015090765.tif 000003
【図２】
2015090765.tif 000004
【図３】
2015090765.tif 000005
【図４】
2015090765.tif 000006
【図５】
2015090765.tif 000007
【図６】
2015090765.tif 000008
【図７】
2015090765.tif 000009
【図８】
2015090765.tif 000010
【図９】
2015090765.tif 000011
【図１０】
2015090765.tif 000012
【図１１】
2015090765.tif 000013